(57)【要約】【課題】防火性がより高い建具を提供する。【解決手段】障子の上端部に挿入され、前記障子の面内方向に沿う第１中空部を備えて前記障子を案内する外レール、及び、前記外レールの上に設けられ前記面内方向に沿う第２中空部を有する本体部、を有する合成樹脂製の上枠と、前記第１中空部内に設けられた金属製のレール補強部材と、前記第２中空部内に設けられた金属製の本体補強部材と、を有し、前記本体補強部材は、前記外レールの下から前記第１中空部を貫通するビスにより前記レール補強部材と連結されている。【選択図】図３
2020165306.tif 000002
【特許請求の範囲】
【請求項１】
障子の上端部に挿入され、前記障子の面内方向に沿う第１中空部を備えて前記障子を案内する外レール、及び、前記外レールの上に設けられ前記面内方向に沿う第２中空部を有する本体部、を有する合成樹脂製の上枠と、
前記第１中空部内に設けられた金属製のレール補強部材と、
前記第２中空部内に設けられた金属製の本体補強部材と、
を有し、
前記本体補強部材は、前記外レールの下から前記第１中空部を貫通するビスにより前記レール補強部材と連結されていることを特徴とする建具。
【請求項２】
請求項１に記載の建具であって、
前記本体補強部材は、上下方向に対向する一対の対向面部と、前記一対の対面部の室内側の縁を上下方向に連結する室外連結部と、を有し、
前記ビスは、下側の前記対向面部に螺合されており、
前記室外連結部には、屋外側の面に加熱発泡材が設けられていることを特徴とする建具。
【請求項３】
請求項１または請求項２に記載の建具であって、
前記障子の上端部には、前記外レールが挿入され下方に窪む框溝と、前記框溝の下に框中空部とを有し、
前記框中空部内には、上下方向に対向する一対の框中空部内対向壁部と、前記一対の框中空部内対向壁部の屋外側の端同士を連結する框中空部内連結部と、を有する金属製の框中空部内補強部材が設けられており、
前記框中空部内連結部の屋外側及び屋内側の面にいずれも加熱発泡材が設けられていることを特徴とする建具。
【請求項４】
請求項１乃至請求項３のいずれかに記載の建具であって、
前記本体補強部材は、躯体に固定されている躯体連結部材と連結されていることを特徴とする建具。
【発明の詳細な説明】
【技術分野】
【０００１】
本発明は、合成樹脂製の窓枠を備えた建具に関する。
【背景技術】
【０００２】
合成樹脂製の窓枠を備えた建具は知られている(例えば、特許文献１参照)。合成樹脂製の窓枠は、上枠、下枠、左縦枠及び右縦枠をなす枠材が四周枠組みされている。各枠材には、剛性を高めるために長手方向に沿う中空部が設けられており、また、窓枠に設けられ障子を案内するレールにおいても、長手方向に沿う中空部が設けられている。合成樹脂は耐熱性が低いため、合成樹脂製の窓枠の中空部内には、レールも含めて補強部材として形鋼部材が挿設されている。また、上枠及び下枠に設けられているレールは、障子の上下端部に設けられた凹部に挿入されている。
【先行技術文献】
【特許文献】
【０００３】
【特許文献１】特開２００５−３５１００９号公報
【発明の概要】
【発明が解決しようとする課題】
【０００４】
上述した建具は、火災等により火炎に晒されて窓枠が溶融すると、躯体より突出している部位において、下枠の室外側の端部が降下したり、上枠の室外側の端部が上昇するように反り返ったりするような変形が生じる。このとき、下枠に載置されている障子も下枠と共に降下すると、反り返った上枠に設けられているレールと下枠との間隔が開き、障子の上端部に設けられた凹部に挿入されているレールが抜けて障子が脱落し易いので防火性が低いという課題がある。
本発明は、かかる課題に鑑みてなされたものであり、その目的とするところは、防火性がより高い建具を提供することにある。
【課題を解決するための手段】
【０００５】
かかる目的を達成するために本発明の建具は、障子の上端部に挿入され、前記障子の面内方向に沿う第１中空部を備えて前記障子を案内する外レール、及び、前記外レールの上に設けられ前記面内方向に沿う第２中空部を有する本体部、を有する合成樹脂製の上枠と、前記第１中空部内に設けられた金属製のレール補強部材と、前記第２中空部内に設けられた金属製の本体補強部材と、を有し、前記本体補強部材は、前記外レールの下から前記第１中空部を貫通するビスにより前記レール補強部材と連結されていることを特徴とする建具である。
【０００６】
かかる建具であって、前記本体補強部材は、上下方向に対向する一対の対向面部と、前記一対の対面部の室内側の縁を上下方向に連結する室外連結部と、を有し、前記ビスは、下側の前記対向面部に螺合されており、前記室外連結部には、屋外側の面に加熱発泡材が設けられていることを特徴とする。
【０００７】
かかる建具であって、前記障子の上端部には、前記外レールが挿入され下方に窪む框溝と、前記框溝の下に框中空部とを有し、前記框中空部内には、上下方向に対向する一対の框中空部内対向壁部と、前記一対の框中空部内対向壁部の屋外側の端同士を連結する框中空部内連結部と、を有する金属製の框中空部内補強部材が設けられており、前記框中空部内連結部の屋外側及び屋内側の面にいずれも加熱発泡材が設けられていることを特徴とする。
【０００８】
かかる建具であって、前記本体補強部材は、躯体に固定されている躯体連結部材と連結されていることを特徴とする
【０００９】
なお、以下に示す実施の形態には、参考技術として下記の発明も含まれる。
障子の上端部に挿入され、前記障子の面内方向に沿う第１中空部を備えて前記障子を案内する内レールと外レール、及び、前記内レールと前記外レールとの上に各々、見込み方向において互いに間隔を空けて設けられ前記面内方向に沿う第２中空部を有する本体部、を有する合成樹脂製の上枠と、前記第１中空部内に各々設けられた金属製のレール補強部材と、前記第２中空部内に各々設けられ下に位置する前記レール補強部材と連結された金属製の本体補強部材と、前記内レール側の前記本体補強部材の上部と躯体とを連結する躯体連結部材と、前記内レール側の前記本体補強部材の下部と前記外レール側の前記本体補強部材の下部とを連結する金属製の補強部材連結部材と、を有することを特徴とする建具である。
【００１０】
このような建具によれば、上部が躯体と連結されている、内レール側の本体補強部材の下部と、外レール側の本体補強部材の下部とが金属製の補強部材連結部材により連結されているので、火災等により火炎に晒されて上枠が溶融したとしても、上枠の室外側の端部が上昇するような反り返りは生じ難い。このため、障子に内レールが挿入された状態及び外障子に外レールが挿入された状態が維持され、内障子及び外障子は脱落し難いので防火性が高い建具を提供することが可能である。
【００１１】
かかる建具であって、前記躯体連結部材は、前記外レール側の前記本体補強部材と連結されていることが望ましい。
このような建具によれば、外レール側の本体補強部材が躯体連結部材により連結されることにより、内レール側の本体補強部材と外レール側の本体補強部材とは上部側も下部側も連結されるので、火災等により火炎に晒されて上枠が溶融したとしても、上枠はより変形し難い。このため、より防火性が高い建具を提供することが可能である。
【００１２】
かかる建具であって、前記補強部材連結部材は、前記内障子と前記外障子との召合せ部の上方に設けられていることが望ましい。
このような建具によれば、建具の幅方向における中央側であって、火炎等により加熱された際に最も変形しやすい、内障子と前記外障子との召合せ部の上方で、内レール側の本体補強部材と、外レール側の本体補強部材とが連結されているので、より効率良く上枠の変形を抑えることが可能である。
【発明の効果】
【００１３】
本発明によれば、防火性がより高い建具を提供することが可能である。
【図面の簡単な説明】
【００１４】
【図１】本実施形態に係る建具を示す縦断面図である。
【図２】本発明に係る建具の横断面を下から見た図である。
【図３】建具の上部を示す縦断面図である。
【図４】上枠固定補強部材の配置を示すべく上枠を下から見た図である。
【図５】上枠に設けられた風止め部材、補強部材連結部材、加熱発泡材の配置を示す図である。
【図６】召合せ框と風止め部材、補強部材連結部材、加熱発泡材との配置を示す図である。
【図７】補強部材連結部材を備える建具が加熱されたときの上枠の状態を示す縦断面図である。
【図８】補強部材連結部材を備えていない建具が加熱されたときの上枠の状態を示す縦断面図である。
【図９】補強部材連結部材の変形例を示す縦断面図である。
【発明を実施するための形態】
【００１５】
以下、本発明の一実施形態に係る建具について図面を参照して説明する。
本実施形態の建具１は、図１に示すように、枠体２と、枠体２に支持される内障子３及び外障子４を備えた引違い窓用の建具１である。
【００１６】
以下の説明においては、建具１が建物等に取り付けられている状態で、上下となる方向を上下方向、左右となり内障子３及び外障子４の移動方向を左右方向、奥行き方向を見込み方向として示す。建具１の各部位であっても、また、建具１を構成する各部材については単体の状態であっても、建物等に取り付けられている状態にて上下方向、左右方向、見込み方向となる方向にて方向を特定して説明する。
【００１７】
図１〜図３に示すように、内障子３及び外障子４はいずれも、矩形状の複層ガラス５と、複層ガラス５の周端部を収容して矩形状をなす合成樹脂製の框体６と、を有している。各框体６は、押出成形部材であり複層ガラス５の上下に配置される上框６１及び下框６２と、複層ガラス５の左右に配置される戸先框６３及び召合せ框６４と、を有し、各々隣り合う框６１、６２、６３、６４が直角をなすように、隣り合う框６１、６２、６３、６４の端部同士を突き合わせるとともに溶着されて矩形状に形成されている。
【００１８】
各框体６の上框６１、下框６２、及び、戸先框６３には、框体６を形成したときに外周側に位置する部位に、内周側に窪む框溝６ａが各々の長手方向、すなわち内障子３及び外障子４の面内方向に沿って設けられている。また、内障子３及び外障子４の召合せ框６４には、互いに対向する側に突出し、各々戸尻側から戸先側に延び上下方向の全長に渡って設けられたヒレ部６４ａを有しており、内障子３及び外障子４を閉じたときに、各々のヒレ部６４ａが、相手のヒレ部６４ａと召合せ框６４との間に入り込むように設けられた煙返し６５が設けられている。外障子４の煙返し６５には、その内周側にステンレス製の煙返し補強部材６６が設けられている。
【００１９】
内障子３及び外障子４の上端部をなす上框６１は、長手方向に沿う框中空部６１ａを有しており、框中空部６１ａの内周側に複層ガラス５の上端部が収容されるガラス収容部６１ｂを押縁６７と共に形成する内周突出部６１ｃが設けられており、框中空部６１ａの外周側に框溝６ａが設けられている。框中空部６１ａ内及び框溝６ａ内には、断面がコ字状をなすステンレス製の補強部材６８、６９が長手方向の略全長にわたって設けられている。
【００２０】
框溝６ａ内に設けられた框溝内補強部材６８は、見込み方向に対向する一対の框溝内対向壁部６８ａと、一対の框溝内対向壁部６８ａの下端を連結する框溝内連結部６８ｂと、を有し、コ字状の開放される側が上方に向けられて配置されている。
【００２１】
框中空部６１ａ内に設けられた框中空部内補強部材６９は、上下方向に対向する一対の框中空部内対向壁部６９ａと、一対の框中空部内対向壁部６９ａの屋外側の端を連結する框中空部内連結部６９ｂと、を有し、コ字状の開放される側が室内側に向けられて配置されている。
【００２２】
框溝内補強部材６８と框中空部内補強部材６９とは、框溝内連結部６８ｂと上側の框中空部内対向壁部６９ａとが、上框６１において框中空部６１ａと框溝６ａとの間に位置する部位を介してビス止めされている。また、上側の框中空部内対向壁部６９ａには、ガラス収容部６１ｂ内に設けられ複層ガラス５の端部を保持するステンレス製のガラス側補強部材５ａが、上框６１において框中空部６１ａとガラス収容部６１ｂとの間に位置する部位を介してビス止めされている。本実施形態に用いられているビスはいずれも金属製である。
【００２３】
框溝内補強部材６８には、一対の框溝内対向壁部６８ａの両面と、框溝内連結部６８ｂの上面とに加熱発泡材７が設けられており、框中空部内補強部材６９には、框中空部内連結部６９ｂの両面と、上側の框中空部内対向壁部６９ａの下面とに加熱発泡材７が設けられている。また、複層ガラス５の上面にも加熱発泡材７が設けられている。下框６２、戸先框６３、及び、召合せ框６４にも金属製の補強部材６８、６９及び加熱発泡材７が設けられているが、図面にて同符号を付し、その説明は省略する。
【００２４】
枠体２は、同一の断面形状をなす４本の合成樹脂製の押出成形部材でなる枠材により構成されており、内障子３及び外障子４にて閉止可能な開口２ａの上下に配置される上枠２１及び下枠２２と、開口２ａの左右に配置される縦枠２３とが、各々隣り合う枠材２１、２２、２３が直角をなすように、隣り合う枠材２１、２２、２３の端部同士を突き合わせるとともに溶着されて矩形状に形成されている。
【００２５】
上枠２１は、見込み方向に並び長手方向に沿う５つの枠中空部２１ａ、２１ｂ、２１ｃ、２１ｄ、２１ｅを有する本体部としての上枠本体２４と、上枠本体２４の室内側の縁から垂設された内垂設壁部２１ｆと、上枠本体２４の室外側の縁から垂設された外垂設壁部２１ｇと、内垂設壁部２１ｆと外垂設壁部２１ｇとの間にて上枠本体２４から垂設され、内障子３及び外障子４が有する上框６１の框溝６ａに挿入される内レール２５及び外レール２６と、上枠本体２４から上方に延出されて躯体８に固定される躯体固定部２１ｈと、を有している。以下の説明においては、上枠本体２４にて、５つの枠中空部２１ａ、２１ｂ、２１ｃ、２１ｄ、２１ｅの下側にて見込み方向に繋がっている部位を下面部２４ａと称する。
【００２６】
上枠本体２４の下面部２４ａにおいて、内レール２５、及び、外レール２６の間は、下面が平面をなしている。以下の説明においては、上枠２１が有する５つの枠中空部２１ａ、２１ｂ、２１ｃ、２１ｄ、２１ｅを室外側から順に最外中空部２１ａ、外側中空部２１ｂ、中央中空部２１ｃ、内側中空部２１ｄ、最内中空部２１ｅと称することとする。
【００２７】
躯体固定部２１ｈは、内側中空部２１ｄの上方に形成されており、躯体固定部２１ｈの室内側に配置されている躯体８に合わせて、内側中空部２１ｄの室内側の部位と最内中空部２１ｅの高さは、最外中空部２１ａから内側中空部２１ｄにおける躯体固定部２１ｈより室外側の部位の高さより低く形成されている。以下の説明においては、下面部２４ａと上下方向にて対向し、最外中空部２１ａから内側中空部２１ｄにおける躯体固定部２１ｈより室外側の部位の上側にて見込み方向に繋がっている部位を上面部２４ｂと称する。
【００２８】
内レール２５及び外レール２６は、長手方向に沿う第１中空部としてのレール中空部２５ａ、２６ａを有し、縦断面形状が縦長の長方形状をなしている。内レール２５は、内側中空部２１ｄの下に設けられており、外レール２６は、外側中空部２１ｂの下に設けられている。内レール２５及び外レール２６のレール中空部２５ａ、２６ａ内には、ステンレス製のレール補強部材９が、内レール２５及び外レール２６の全長に渡って設けられている。
【００２９】
レール補強部材９は、内レール２５及び外レール２６が有しレール中空部２５ａ、２６ａの上面と対向する上板部９ａと、上板部９ａの見込み方向における一方の縁から下方に垂設された垂設板部９ｂと、垂設板部９ｂの下端から下方に向かい、垂設板部９ｂに対して上板部９ａが設けられている側に向かう傾斜面をなす傾斜板部９ｃとを有している。
【００３０】
上枠２１の上には、図４に示すように、複数（本実施形態においては５個）のステンレス製の上枠固定補強部材１０が、上枠２１の左右方向において適宜間隔を空けて設けられている。上枠固定補強部材１０は、断面がＬ字状をなし、躯体固定部２１ｈの室外側に重ねて配置される鉛直板部１０ａと、上枠本体２４の上面部２４ｂ上に重ねて配置される水平板部１０ｂと、を有している。鉛直板部１０ａは、躯体固定部２１ｈとともに室外側から進入するビスにより躯体８に固定され、水平板部１０ｂは、外側中空部２１ｂ内に設けられているステンレス製の室外側補強部材１１と、内側中空部２１ｄ内に設けられているアルミニウム製の押出成形材でなる室内側補強部材１２とに、それぞれビス止めされている。ここで、外側中空部２１ｂと内側中空部２１ｄとが第２中空部に相当し、上枠固定補強部材１０が、内レール２５側の本体補強部材としての室内側補強部材１２の上部と躯体８とを連結する躯体連結部材に相当する。
【００３１】
室外側補強部材１１は、外側中空部２１ｂの上下に位置する上面部２４ｂ及び下面部２４ａと各々近接して対向する一対の対向面部１１ａと、一対の対向面部１１ａの室内側の縁を上下方向に連結する室外連結部１１ｂとを有し、断面がコ字状をなしている。上枠固定補強部材１０が固定されるビスは、室外側補強部材１１の上側の対向面部１１ａに螺合され、下側の対向面部１１ａには、外レール２６内のレール補強部材９を外レール２６の下面から貫通するビスが螺合されている。また、室外側補強部材１１には、室外連結部１１ｂの室外側の面に加熱発泡材７が設けられている。ここで、室外側補強部材１１が外レール２６側の本体補強部材に相当する。
【００３２】
室内側補強部材１２は、内側中空部２１ｄの形状に合わせて室外側にて内側中空部２１ｄの高さが高い部位にはほぼ矩形状をなす矩形補強部１２ａと、矩形補強部１２ａの下端から室内側に延出された室内延出部１２ｂと、室内延出部１２ｂの室内側の端から上方に立ち上がる上方延出部１２ｃとを有している。上枠固定補強部材１０が固定されるビスは、矩形補強部１２ａの上部に螺合され、室内延出部１２ｂには、内レール２５内のレール補強部材９を内レール２５の下面から貫通するビスが螺合されている。また、室内側補強部材１２には、矩形補強部１２ａの室外側の面に加熱発泡材７が設けられている。ここで、室内側補強部材１２が内レール２５側の本体補強部材に相当する。
【００３３】
内レール２５上の内側中空部２１ｄと外レール２６上の外側中空部２１ｂとの間に設けられている中央中空部２１ｃには、アルミニウム製の押出部材でなる中間補強部材１３が、上枠２１の全長にわたって設けられている。中間補強部材１３が設けられる中央中空部２１ｃの断面形状はほぼ矩形状をなしている。
【００３４】
中間補強部材１３は、図３に示すように、下面部２４ａと対面する下対面部１３ａと、下対面部１３ａの室外側の縁から上方に延出して壁部をなす室外壁部１３ｂと、室外壁部１３ｂの上端側に設けられ、中央中空部２１ｃを形成する上面部２４ｂと僅かに間隔を空けて対面する上方対面部１３ｃと、上方対面部１３ｃの室内側の縁から上方に突出する突出片１３ｄとを有している。室外壁部１３ｂの上方対面部１３ｃより上に突出した部位と、突出片１３ｄとは、突出量がほぼ等しく形成され、見込み方向において互いに対向するように形成されている。室外壁部１３ｂの上方対面部１３ｃより上に突出した部位と上方対面部１３ｃと突出片１３ｄとは、長手方向に沿う溝部１３ｅをなしている。溝部１３ｅには加熱発泡材７が設けられている。
【００３５】
中間補強部材１３は、下対面部１３ａが中央中空部２１ｃの下面部２４ａ上に配置された状態で、左右方向における両端部が、下面部２４ａの下方から進入するビスにより、下対面部１３ａが下面部２４ａに固定されている。
【００３６】
内障子３及び外障子４が、枠体２に建て付けて、框溝６ａ内に内レール２５及び外レール２６が挿入されたときに、框溝６ａ内に設けられた框溝内補強部材６８の上端６８ｃが、内レール２５及び外レール２６のレール中空部２５ａ、２６ａ内に設けられたレール補強部材９の下端９ｄより上に位置している。
【００３７】
内障子３と外障子４の召合せ部の上方であって、内レール２５と外レール２６との間には、下面部２４ａと対向し、外側中空部２１ｂと内側中空部２１ｄに渡るように配置された補強部材連結部材１５が設けられている。補強部材連結部材１５は、外側中空部２１ｂ内に設けられている室外側補強部材１１の下部となる下側の対向面部１１ａと内側中空部２１ｄ内に設けられている室内側補強部材１２の矩形補強部１２ａの下部とに下面部２４ａを介してビス止めされている。
【００３８】
所謂けんどん式により建て付けられる内障子３と外障子４の上方には、図５、図６に示すように、内障子３及び外障子４の上端と、上枠２１の内レール２５と外レール２６との間の下面部２４ａとの間に形成される空間を塞ぐ軟質合成樹脂製の風止め部材１４と、加熱発泡材７とが設けられている。風止め部材１４は、召合せ部の上方において、外障子４の最も戸尻側に配置されており、風止め部材１４より戸先側にて補強部材連結部材１５により室外側補強部材１１と室内側補強部材１２とが連結されており、風止め部材１４と補強部材連結部材１５との間に加熱発泡材７が設けられている。
【００３９】
本実施形態の建具１によれば、室外側補強部材１１と室内側補強部材１２とは、上部側が上枠固定補強部材１０によりいずれも躯体８と連結され、下部側は補強部材連結部材１５により連結されているので、火災等により火炎に晒されて上枠２１が溶融したとしても、上枠２１の室外側の端部が上昇するような反り返りは生じ難い。このため、内障子３の框溝６ａに内レール２５が挿入された状態及び外障子４の框溝６ａに外レール２６が挿入された状態が維持され、内障子３及び外障子４は脱落し難いので防火性が高い建具１を提供することが可能である。
【００４０】
また、図７に示すように、建具１が、所謂半外付けタイプの場合には、室内側補強部材１２より室外側に外壁１６と中間補強部材１３とが設けられているので、火災等により火炎に晒された場合であっても、中間補強部材１３上に設けられた加熱発泡材７が発泡することにより、中央中空部２１ｃより室内側の上枠２１は溶融し難い。このため、上枠固定補強部材１０と室内側補強部材１２とが連結されている上面部２４ｂ及び室内側補強部材１２と補強部材連結部材１５とが連結されている下面部２４ａが溶融せずに残存することにより、上枠固定補強部材１０と室内側補強部材１２とを連結するビス及び室内側補強部材１２と補強部材連結部材１５とを連結するビスによる締め付けに緩みが生じない。よって、補強部材連結部材１５に連結されている室外側補強部材１１及び室外側補強部材１１に連結されている外レール２６のレール補強部材９側の変位を、図８に示すような補強部材連結部材１５が設けられていない場合より小さく抑えることが可能である。
【００４１】
上記実施形態においては、上枠固定補強部材１０が室外側補強部材１１と室内側補強部材１２とのいずれにも連結されている例について説明したが、上述したように、中央中空部２１ｃより室内側の上枠２１が外壁より室内側に配置される構成であれば、図９に示すように、上枠固定補強部材１０が室内側補強部材１２のみと連結される構成であっても構わない。この場合には、上枠固定補強部材１０の水平板部１０ｂが外壁１６の内側に納まるので施工が容易であるとともに、水平板部１０ｂが外壁１６より外側に突出せず外部から視認されないので意匠性にも優れている。
【００４２】
また、建具１の左右方向における中央側であって、火炎等により加熱された際に最も変形しやすい、内障子３と外障子４との召合せ部の上方で、室内側補強部材１２と、室外側補強部材１１とが補強部材連結部材１５により連結されているので、より効率良く上枠２１の変形を抑えることが可能である。また、補強部材連結部材１５より室外側となる、外障子４の戸尻側に設けられた風止め部材１４との間に加熱発泡材７が設けられているので、風止め部材１４が溶融しても加熱発泡材７により室内側と室外側とが仕切られる。このため、補強部材連結部材１５と室内側補強部材１２の間に介在される上枠２１の下面部２４ａが溶融し難いので、補強部材連結部材１５に連結されている室外側補強部材１１及び外レール２６のレール補強部材９側の変位をより小さく抑えることが可能である。
【００４３】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４４】
１  建具、２  枠体、３  内障子、４  外障子、８  躯体、９  レール補強部材、
１０  上枠固定補強部材、１１  室外側補強部材、１２  室内側補強部材、
１５  補強部材連結部材、２１  上枠、２１ｂ  外側中空部、２１ｄ  内側中空部、
２４  上枠本体、２５  内レール、２５ａ  レール中空部、２６  外レール、
２６ａ  レール中空部、
【図１】
2020165306.tif 000003
【図２】
2020165306.tif 000004
【図３】
2020165306.tif 000005
【図４】
2020165306.tif 000006
【図５】
2020165306.tif 000007
【図６】
2020165306.tif 000008
【図７】
2020165306.tif 000009
【図８】
2020165306.tif 000010
【図９】
2020165306.tif 000011